(57)【特許請求の範囲】
【請求項１】
媒体を搬送する搬送経路の一部である搬送経路部が収納される空間部、及び、前記空間部と外部とを連通する開口を有する筐体と、
前記開口に対する位置が、前記開口を覆う閉位置と前記開口を開放する開位置とに変位する蓋部と、
前記空間部に前記搬送経路部が収納される収納位置と、前記空間部から前記搬送経路部が引き出される引出位置との間を移動可能な前記搬送経路部を有する可動ユニットと、
前記可動ユニットが前記引出位置にあり且つ前記蓋部が前記開位置にあるときに前記可動ユニットが前記収納位置側に移動することを規制し、前記可動ユニットが前記引出位置にあり且つ前記蓋部が前記閉位置にあるときに前記可動ユニットが前記収納位置側に移動することを許容する規制部と、を備え、
前記規制部は、
前記可動ユニットの前記蓋部側に設けられる第１の係止部と、前記蓋部が閉状態にあるときに当該蓋部により覆われる前記筐体の部位に設けられ、前記第１の係止部に係合可能な第２の端部を備える第２の係止部と、を備え、
前記可動ユニットが前記引出位置にあり且つ前記蓋部が前記開位置にあるときに、前記第１の係止部と前記第２の端部とが係合することにより、前記可動ユニットが前記収納位置側に移動することを規制し、
前記可動ユニットが前記引出位置にあり且つ前記蓋部が前記閉位置にあるときに、前記第１の係止部と前記第２の端部とが離間することにより、前記可動ユニットが前記収納位置側に移動することを許容する
ことを特徴とする媒体搬送装置。
【請求項２】
前記第２の係止部は、
前記蓋部に接触可能な第１の端部を備え、
前記第２の端部が、前記第１の係止部に係合可能に付勢され、
前記蓋部が前記閉位置のときには、前記蓋部が前記第１の端部に接触することにより前記第２の端部が前記第１の係止部から離間して前記可動ユニットの移動を許容し、
前記蓋部が前記開位置のときには、前記蓋部が前記第１の端部から離間して前記第２の端部と前記第１の係止部との接触が解除されることにより前記可動ユニットの移動を規制する
請求項１に記載の媒体搬送装置。
【請求項３】
前記規制部は、前記可動ユニットの移動方向に並ぶ複数の前記第１の係止部を備え、
前記第１の係止部は、前記引出位置側の第１の面及び前記収納位置側の第２の面を備える凹部であり、
前記第１の係止部の前記第２の面は、前記引出位置側から前記収納位置側に向かうにつれて前記可動ユニットの外側に向かうように傾斜し、
前記第２の係止部は、前記蓋部が前記開位置にあり且つ前記可動ユニットが前記引出位置側に移動するとき、前記第２の端部が前記第２の面に沿って移動可能である
請求項２に記載の媒体搬送装置。
【請求項４】
前記第２の係止部の前記第２の端部は、前記引出位置側の第１の面及び前記収納位置側の第２の面を備え、
前記第２の端部の前記第２の面は、前記引出位置側から前記収納位置側に向かうにつれて前記可動ユニットから離れる側に傾斜し、
前記第１の係止部の前記第２の面と前記第２の端部の前記第２の面とは摺動可能であり、
前記第１の係止部の前記第１の面と前記第２の端部の前記第１の面とは接触することによって前記可動ユニットの移動を規制可能である
請求項３に記載の媒体搬送装置。
【請求項５】
前記蓋部の位置を検出するセンサーと、前記規制部を駆動するモーターと、前記センサーの出力に基づいて前記可動ユニットが前記引出位置にあり且つ前記蓋部が前記開位置にあるときに前記可動ユニットが前記収納位置に移動することを前記規制部が規制するように前記モーターを駆動する制御部と、を備える
請求項１〜４のいずれか一項に記載の媒体搬送装置。
【請求項６】
前記可動ユニットは、前記引出位置にあるときに前記搬送経路部を開放可能である
請求項１〜５のいずれか一項に記載の媒体搬送装置。
【発明の詳細な説明】
【技術分野】
【０００１】
本発明は、例えば用紙などの媒体に画像を記録する記録部に媒体を搬送する媒体搬送装置に関する。
【背景技術】
【０００２】
従来から、媒体の一例としての用紙にインクを付着させることで文字や写真などの画像を印刷する印刷装置を備えた媒体搬送装置が知られている。例えば、特許文献１の媒体搬送装置は、内部に媒体を搬送する搬送経路部が配置される空間部を有する筐体と、少なくとも一部が空間部に配置される可動ユニットとを備えている。可動ユニットは、筐体に対して収納位置と、収納位置よりも空間部から引き出された引出位置との間を移動可能である。この媒体搬送装置では、空間部内の搬送経路に紙詰まりが生じたとき、可動ユニットを収納位置から引出位置に引き出すことによって詰まった用紙を除去できるようになる。
【先行技術文献】
【特許文献】
【０００３】
【特許文献１】特開２０１５−１８９００６号公報
【発明の概要】
【発明が解決しようとする課題】
【０００４】
ところで、搬送経路部から空間部内に用紙が脱落したり、搬送経路部の用紙に撓みが発生していたりすることがある。このような場合、筐体に空間部と連通する開口を形成することによって空間部内の不適切な状態の用紙を除去できるようになる。しかし、可動ユニットを引出位置に引き出した状態において、空間部内の不適切な状態の用紙を除去せずに可動ユニットを収納位置に戻すと、用紙が可動ユニットと筐体とに挟まれてしまうことがある。このため、用紙が潰れたり破れたりして除去が困難になるおそれがある。
【０００５】
本発明は、このような実情に鑑みてなされたものであり、その目的は、媒体の除去が困難になることを抑制できる媒体搬送装置を提供することにある。
【課題を解決するための手段】
【０００６】
以下、上記課題を解決するための手段及びその作用効果について記載する。
上記課題を解決する媒体搬送装置は、媒体を搬送する搬送経路の少なくとも一部である搬送経路部が収納される空間部、及び、前記空間部と外部とを連通する開口を有する筐体と、前記開口に対する位置が前記開口を覆う閉位置と前記開口を開放する開位置とを含む蓋部と、前記空間部に前記搬送経路部が収納される収納位置と、前記空間部から前記搬送経路部が引き出される引出位置との間を移動可能な前記搬送経路部を有する可動ユニットと、前記可動ユニットが前記引出位置にあり且つ前記蓋部が前記開位置にあるときに前記可動ユニットが前記収納位置側に移動することを規制し、前記可動ユニットが前記引出位置にあり且つ前記蓋部が前記閉位置にあるときに前記可動ユニットが前記収納位置側に移動することを許容する規制部と、を備える。
【０００７】
上記構成によれば、可動ユニットが引出位置にあり且つ蓋部が開位置にあるときには、規制部によって可動ユニットが収納位置側に移動することが規制される。このため、蓋部が開位置にあるときにはユーザーによって蓋部を開位置から閉位置に戻す作業が行われた後に、可動ユニットが収納位置に移動できるようになる。このため、蓋部を開位置から閉位置に戻す作業の際にユーザーに開口から空間部を視認させる動作を行わせやすくなる。このため、空間部内の不適切な状態の媒体を除去せずに可動ユニットを引出位置に戻すことが抑制され、媒体の除去が困難になることを抑制できる。
【０００８】
また、上記媒体搬送装置において、前記規制部は、前記可動ユニットのうちの前記蓋部側の一部に設けられる第１の係止部と、前記蓋部に接触可能な第１の端部及び前記第１の係止部に係合可能な第２の端部を含む第２の係止部とを備え、前記第２の係止部は、前記蓋部が前記閉位置のときには、前記第１の端部が前記蓋部と接触する一方で前記第２の端部が前記第１の係止部から離間することにより前記可動ユニットの移動を許容し、前記蓋部が前記開位置のときには、前記第１の端部が前記蓋部から離間する一方で前記第２の端部が前記第１の係止部に係合することにより前記可動ユニットの移動を規制することが好ましい。
【０００９】
上記構成によれば、規制部は、第２の係止部における第１の端部及び第２の端部のうち第１の端部が蓋部から離間することによって第２の端部が第１の係止部と係合して可動ユニットの移動を規制する。このため、駆動源及びセンサー等を用いずに簡便な構成で可動ユニットの引出位置から収納位置への移動を規制することができる。
【００１０】
また、上記媒体搬送装置において、前記規制部は、前記可動ユニットの移動方向に並ぶ複数の前記第１の係止部を備え、前記第１の係止部は、前記引出位置側の第１の面及び前記収納位置側の第２の面を備える凹部であり、前記第１の係止部の前記第２の面は、前記引出位置側から前記収納位置側に向かうにつれて前記可動ユニットの外側に向かうように傾斜し、前記第２の係止部は、前記蓋部が前記開位置にあり且つ前記可動ユニットが前記引出位置側に移動するとき、前記第２の端部が前記第２の面に沿って移動可能であることが好ましい。
【００１１】
可動ユニットが引出位置側に移動するときは、可動ユニットが収納位置側に移動するときと比較して空間部内の不適切な状態の媒体が潰れたり破れたりし難い。そのため、可動ユニットについては引出位置側に移動することを許容してもよい。この点、上記構成によれば、可動ユニットは、引出位置側に移動するのであれば、蓋部が開位置にあるときにも、その移動が許容される。このため、可動ユニットを移動させるにあたり、その移動方向が引出位置側であるときは、蓋部が開位置にあっても可動ユニットの移動が許容されるので、そのような開位置にある蓋部を閉位置に移動する手間が省ける。このため、ユーザーの作業効率が低下することを抑制できる。
【００１２】
また、上記媒体搬送装置において、前記第２の係止部の前記第２の端部は、前記引出位置側の第１の面及び前記収納位置側の第２の面を備え、前記第２の端部の前記第２の面は、前記引出位置側から前記収納位置側に向かうにつれて前記可動ユニットから離れる側に傾斜し、前記第１の係止部の前記第２の面と前記第２の端部の前記第２の面とは摺動可能であり、前記第１の係止部の前記第１の面と前記第２の端部の前記第１の面とは接触することによって前記可動ユニットの移動を規制可能であることが好ましい。
【００１３】
上記構成によれば、第１の係止部の第２の面と第２の端部の第２の面とは可動ユニットの移動時において摺動可能であるため、可動ユニットが開口を塞ぐ面積が少なくなる方向に移動するときに第１の係止部と第２の端部とが引っ掛かり難くなり、可動ユニットを滑らかに移動させることができる。
【００１４】
また、上記媒体搬送装置において、前記蓋部の位置を検出する位置センサーと、前記規制部を駆動するモーターと、前記位置センサーの出力に基づいて前記可動ユニットが前記引出位置にあり且つ前記蓋部が前記開位置にあるときに前記可動ユニットが前記収納位置に移動することを前記規制部が規制するように前記モーターを駆動する制御部と、を備えることが好ましい。
【００１５】
上記構成によれば、制御部が蓋部の位置に基づいて可動ユニットの移動を規制及び許容するようにモーターを制御する。このため、適切なタイミングで規制部を動作させることができる。
【００１６】
また、上記媒体搬送装置において、前記可動ユニットは、前記引出位置にあるときに前記搬送経路部を開放可能であることが好ましい。
上記構成によれば、可動ユニットを引出位置に移動させることによって可動ユニットに含まれる搬送経路部内の媒体の詰まりを除去することができる。
【図面の簡単な説明】
【００１７】
【図１】媒体搬送装置を備えるプリンターの一実施形態の外観を示す正面図。
【図２】プリンターの概略構造図。
【図３】筐体、可動ユニット、及び、蓋部を示す斜視図。
【図４】可動ユニットを引き出した状態における媒体搬送装置の一部を示す概略構造図。
【図５】可動ユニットを引き出した状態において経路形成部が回動したときの記録システムの一部を示す概略構造図。
【図６】第２の側壁を省略した側壁及び可動ユニットを示す正面図。
【図７】図６の規制部を拡大して示す正面図。
【図８】可動ユニットが収納位置にあり且つ蓋部が閉位置にある状態を示す正面図。
【図９】図８における９−９線の矢視断面図。
【図１０】可動ユニットが収納位置かつ蓋部が開位置にある状態を示す正面図。
【図１１】図１０における１１−１１線の矢視断面図。
【図１２】規制部の第１の状態を示す模式図。
【図１３】規制部の第２の状態を示す模式図。
【図１４】規制部の第３の状態を示す模式図。
【図１５】プリンターの変形例を示すブロック図。
【発明を実施するための形態】
【００１８】
以下、媒体搬送装置としてのプリンターについて図を参照して説明する。
図１に示すように、プリンター１００は、媒体としての用紙Ｐ（図２参照）に液体の一例としてのインクを付着させることで文字や写真などの画像を記録するインクジェット式プリンターであり、直方体状の筐体１０１に収容されている。鉛直方向Ｚにおいて、筐体１０１の上部には、プリンター１００の各種の操作を行うための操作部１０２が取り付けられている。
【００１９】
プリンター１００には、鉛直方向Ｚにおいて、プリンター１００の中央部から下部に亘って用紙カセット１０３が設けられている。本実施形態において、用紙カセット１０３は、鉛直方向Ｚに４つ並んで配置され、それぞれにプリンター１００が記録を行う用紙Ｐ（図２参照）を積層状態で収容している。そして、用紙カセット１０３における左右方向Ｘの中央部には、ユーザーが把持可能な把持部１０３ａがそれぞれ形成されている。すなわち、用紙カセット１０３は、左右方向Ｘ及び鉛直方向Ｚの双方と交差する前後方向Ｙにおいて筐体１０１に対して挿抜可能に構成されている。なお、それぞれの用紙カセット１０３に収容される用紙Ｐは、それぞれ異なる種別のものでもよいし、同じ種別のものであってもよい。
【００２０】
鉛直方向Ｚにおいて、最上段の用紙カセット１０３と隣り合う位置には、蓋部１０４が設けられている。蓋部１０４は、左右方向Ｘの一端（図１においては右側の端部）である基端部１０４ａが筐体１０１の正面側の壁部である側壁１０５（図３参照）に対して回動可能に設けられている。蓋部１０４の左右方向Ｘの他端（図１においては左側の端部）である先端部１０４ｂには、ユーザーが手を掛けることが可能な手掛部１０４ｃ（図３参照）が形成されている。蓋部１０４は、筐体１０１に対する位置取りが、その先端部１０４ｂと筐体１０１とが接触する閉位置（図１及び図８参照）と、その先端部１０４ｂが筐体１０１から離間する開位置（図３及び図１０参照）との２位置間で変位する。すなわち、蓋部１０４は、手掛部１０４ｃ（図３参照）を通じたユーザーの操作によって回動し、閉位置から開位置（又は開位置から閉位置）に回動する。
【００２１】
図３に示されるように、側壁１０５は、プリンター１００の内部側の第１の側壁１０６と、第１の側壁１０６の外側に取り付けられる第２の側壁１０７とを有する。第１の側壁１０６は、例えば金属材料によって形成され、第２の側壁１０７は、例えば樹脂材料によって形成される。第１の側壁１０６は、空間部１０１ａのうちの、記録部１１０（図２参照）よりも搬送経路１２０の下流側の部分と対応する部分に第１の開口１０６ａを有する。第２の側壁１０７は、第１の開口１０６ａよりも大きい第２の側壁１０７を有する。第２の開口１０７ａは、第１の開口１０６ａの全体と対応する。開口１０５ａは、第１の開口１０６ａ及び第２の開口１０７ａによって構成される。すなわち、筐体１０１の側壁１０５は、空間部１０１ａと連通する開口１０５ａを有する。蓋部１０４は、閉位置にあるとき開口１０５ａに対する位置が開口１０５ａを覆い、開位置にあるとき開口１０５ａを開放する。ユーザーは、開口１０５ａを介して空間部１０１ａ内の用紙Ｐを取り除く等のメンテナンスを行うことができる。
【００２２】
図２に示すように、プリンター１００において、左右方向Ｘにおいて左側の面である左側面には、筐体１０１から引き出し可能に設けられた引出面部１０８が設けられている。引出面部１０８において鉛直方向Ｚにおける上部には、ユーザーが手を掛けることが可能な手掛部１０８ａが形成されている。引出面部１０８が、左右方向Ｘにおいて左向きとなる引出方向に沿って筐体１０１から引き出されると、これと連動し、後述する可動ユニット１７０が筐体１０１から引き出される（図３及び図４参照）。
【００２３】
また、図２に示すように、引出面部１０８において、手掛部１０８ａにおける鉛直方向Ｚの下側となる位置には、記録が行われた用紙Ｐが排出される排出口１０９が形成されている。排出口１０９には図示しない排紙トレーが設けられている。
【００２４】
次に、プリンター１００の構造について説明する。
図２に示すように、筐体１０１の内部には、プリンター１００の各部を配置するための空間部１０１ａが設けられている。空間部１０１ａ内には、用紙Ｐに対して鉛直方向Ｚの上側から記録を行う記録部１１０と、用紙Ｐを搬送経路１２０に沿って搬送する搬送部１３０とが設けられている。すなわち、空間部１０１ａには、用紙Ｐを搬送する搬送経路１２０の少なくとも一部が配置される。搬送経路１２０は、前後方向Ｙに沿う方向を用紙Ｐの幅方向としたときに、この幅方向と交差する方向を搬送方向として用紙Ｐが搬送されるように形成されている。
【００２５】
記録部１１０は、用紙Ｐの幅方向の略全域に亘って同時にインクを吐出可能なラインヘッド型の記録ヘッド１１１を下部に備えている。記録部１１０は、記録ヘッド１１１から吐出されるインクが用紙Ｐにおいて記録ヘッド１１１と対向する記録面（画像を印刷される面）に付着されることで、用紙Ｐに画像を形成する。
【００２６】
搬送部１３０は、搬送経路１２０に沿って配置されている複数の搬送ローラー対１３１と、記録部１１０の直下に設けられるベルト搬送部１３２とを有している。すなわち、ベルト搬送部１３２によって搬送されている用紙Ｐに対して、記録ヘッド１１１からインクが吐出され、記録が行われる。
【００２７】
ベルト搬送部１３２は、記録ヘッド１１１よりも搬送方向上流側に配置されている駆動ローラー１３３と、記録ヘッド１１１よりも搬送方向下流側に配置されている従動ローラー１３４と、これらの各ローラー１３３、１３４に掛けられた無端状をなす環状のベルト１３５とを有している。駆動ローラー１３３が駆動回転することによりベルト１３５が周回し、その周回するベルト１３５によって用紙Ｐが下流側へ搬送される。すなわち、ベルト１３５の外周面が、記録が行われる用紙Ｐを支持する支持面として機能する。
【００２８】
搬送経路１２０は、記録部１１０へ向けて用紙Ｐが搬送される供給経路１４０と、記録部１１０により記録が行われ、記録済とされた用紙Ｐが搬送される排出経路１５０と、排出経路１５０から分岐する分岐経路１６０とを有している。
【００２９】
供給経路１４０は、第１の供給経路１４１と、第２の供給経路１４２と、第３の供給経路１４３とを有している。第１の供給経路１４１では、筐体１０１の右側面に備えられた給紙カバー１４１ａを開けることによって露出する挿入口１４１ｂから挿入される用紙Ｐが記録部１１０へ搬送される。第１の供給経路１４１には第１駆動ローラー対１４４が設けられており、挿入口１４１ｂから挿入された用紙Ｐは、第１駆動ローラー対１４４の回転駆動によって記録部１１０へ向かって直線的に搬送される。
【００３０】
第２の供給経路１４２では、鉛直方向Ｚにおいて、筐体１０１の下部に備えられた用紙カセット１０３にそれぞれ収容された用紙Ｐが、記録部１１０へ搬送される。第２の供給経路１４２のうちの各用紙カセット１０３付近にはピックアップローラー１４２ａ及び分離ローラー対１４５が設けられている。用紙カセット１０３に積層状態で収容された用紙Ｐは、最上位の用紙Ｐがピックアップローラー１４２ａにより送り出され、分離ローラー対１４５で一枚ずつに分離された後、鉛直方向Ｚにおける姿勢が反転されながら、第２の供給経路１４２に設けられた第２駆動ローラー対１４６の回転駆動によって記録部１１０へ向かって搬送される。
【００３１】
第３の供給経路１４３では、用紙Ｐに対して両面に画像を記録する両面印刷を行う場合に、記録部１１０によって片面が記録済とされた用紙Ｐが、再び記録部１１０へ搬送される。すなわち、記録部１１０よりも搬送方向下流側には、排出経路１５０から分岐する分岐経路１６０が設けられている。両面印刷を行う際、用紙Ｐは、排出経路１５０の途中に設けられた分岐機構１４７の動作によって分岐経路１６０へ搬送される。また、分岐経路１６０には、正転と逆転の双方の回転が可能な分岐経路ローラー対１６１が分岐機構１４７よりも下流側に設けられている。
【００３２】
両面印刷に際して、一面が印刷された用紙Ｐは、分岐機構１４７により一旦この分岐経路１６０へ案内され、正転する分岐経路ローラー対１６１によって分岐経路１６０内を下流側に搬送される。その後、分岐経路１６０へ搬送された用紙Ｐは、逆転する分岐経路ローラー対１６１によって分岐経路１６０内を下流側から上流側へ逆搬送される。
【００３３】
分岐経路１６０から逆搬送される用紙Ｐは第３の供給経路１４３へ搬送され、複数の搬送ローラー対１３１によって記録部１１０へ向かって搬送される。第３の供給経路１４３は、記録部１１０を迂回して、記録部１１０よりも上流側において第１の供給経路１４１及び第２の供給経路１４２と合流する。このため、第３の供給経路１４３を搬送されることによって、用紙Ｐは印刷されていない他面が記録部１１０と対向するように反転され、第３駆動ローラー対１４８の回転駆動によって記録部１１０へ向かって搬送される。すなわち、第３の供給経路１４３は、鉛直方向Ｚにおける用紙Ｐの姿勢を反転させながら搬送する反転搬送経路として機能する。
【００３４】
各供給経路１４１、１４２、１４３のうち、第２の供給経路１４２及び第３の供給経路１４３は、鉛直方向Ｚにおいて用紙Ｐの姿勢が湾曲されながら記録部１１０へ向けて用紙Ｐが搬送される。その一方で、第１の供給経路１４１は、第２の供給経路１４２及び第３の供給経路１４３と比較して、用紙Ｐの姿勢が大きく湾曲されることなく記録部１１０へ向けて用紙Ｐが搬送される。
【００３５】
各供給経路１４１、１４２、１４３を搬送される用紙Ｐは、記録部１１０よりも搬送方向の上流側に配設された整列ローラー対１４９まで搬送されたのち、回転が停止した整列ローラー対１４９にその先端が突き当たる。そして、用紙Ｐは、このような整列ローラー対１４９へ突き当たった状態によって搬送方向に対する傾きが補正（スキュー取り）される。そして傾きが補正された用紙Ｐは、その後の整列ローラー対１４９の回転駆動によって、整列状態となって記録部１１０へ搬送される。
【００３６】
記録部１１０により片面又は両面に記録が行われ、記録が完了された用紙Ｐは、搬送ローラー対１３１により搬送経路１２０の下流部を構成する排出経路１５０に沿って搬送される。排出経路１５０は、分岐経路１６０と分岐する位置よりも下流となる位置で、第１の排出経路１５１、第２の排出経路１５２、及び、第３の排出経路１５３に分岐している。すなわち、記録が完了された用紙Ｐは、排出経路１５０の上流部を構成する共通排出経路１５４を搬送された後、共通排出経路１５４の下流端に設けられた案内機構１８０により、排出経路１５０の下流部を構成する第１〜第３の各排出経路１５１、１５２、１５３のうち何れかの経路へ案内される。
【００３７】
第１の排出経路１５１は、筐体１０１の上方へ向かうとともに、分岐経路１６０に沿うように湾曲して延びて設けられている。第１の排出経路１５１を搬送される用紙Ｐは、第１の排出経路１５１の終端となるように筐体１０１の一部に開口する排出口１５５から排出される。そして、排出口１５５から排出された用紙Ｐは、鉛直方向Ｚ下側へ落下し、図２において二点鎖線で示すように、積層された状態で載置台１５６に排紙される。なお、排出経路１５０の複数箇所に配置された搬送ローラー対１３１により、用紙Ｐは、排出口１５５から片面印刷時における記録面が鉛直方向Ｚにおいて下を向く姿勢にて載置台１５６に排紙される。
【００３８】
載置台１５６は、排出口１５５からの用紙Ｐの排出方向でもある図２での左右方向Ｘにおける右方向に向かうにつれて、鉛直方向Ｚ上側に上昇する先上がりの傾斜した形状を有し、この載置台１５６に用紙Ｐが積層状態で載置される。このとき、載置台１５６に載置された各用紙Ｐは、載置台１５６の傾斜に沿って左方向に移動し、筐体１０１の排出口１５５の下側に設けられた縦側壁１５７に接近して載置される。
【００３９】
また、第１の排出経路１５１は、記録部１１０により記録された用紙Ｐが排出口１５５まで搬送される間において、その用紙Ｐの表裏を反転させる湾曲反転経路１５１ａを有している。すなわち、湾曲反転経路１５１ａは、記録部１１０により記録された用紙Ｐの記録面を内側にして湾曲させるとともに、その用紙Ｐの記録面が鉛直方向Ｚにおいて鉛直方向Ｚ上側に向く状態から鉛直方向Ｚ下側に向く状態に用紙Ｐを反転させる。したがって、排出経路１５０では、用紙Ｐは、この湾曲反転経路１５１ａを通ることによって片面印刷時における記録面が載置台１５６と対峙する状態となって排出口１５５から排出される。
【００４０】
第２の排出経路１５２は、第１の排出経路１５１よりも鉛直方向Ｚ下側に分岐し、記録部１１０から筐体１０１の一部を形成する引出面部１０８に向かって直線的に延びている。そのため、第２の排出経路１５２を搬送される用紙Ｐは、第１の排出経路１５１のように湾曲した姿勢で搬送されず、その姿勢が記録部１１０を通過したときと同様に一定に保たれたまま直線的に搬送され、引出面部１０８に形成された排出口１０９から排出される。すなわち、第２の排出経路１５２は、鉛直方向における用紙Ｐの姿勢を反転させることなく用紙Ｐを排出する非反転排出経路として機能する。第３の排出経路１５３は、第２の排出経路１５２よりも鉛直方向Ｚ下側に分岐し、筐体１０１の下方へ向かうように、鉛直方向Ｚにおいて斜め下側に向かって延びている。第３の排出経路１５３は、例えば用紙Ｐの乾燥やソート等を行う後処理装置の後処理経路２１１に接続可能である。
【００４１】
排出経路１５０の一部及び分岐経路１６０の一部、詳しくは湾曲反転経路１５１ａ、第２の排出経路１５２、第３の排出経路１５３、共通排出経路１５４の一部、及び、分岐経路１６０の一部を含む搬送経路部１２１は、筐体１０１に設けられた可動ユニット１７０に設けられている。すなわち、可動ユニット１７０は、搬送経路１２０の一部である搬送経路部１２１を有する。この可動ユニット１７０は、引出面部１０８と一体的に取り扱い可能に接続されている。そのため、可動ユニット１７０は、引出面部１０８が引き出されることによって筐体１０１から引き出され、筐体１０１から露出する。
【００４２】
可動ユニット１７０には、第１の排出経路１５１の湾曲した内側のガイド面の一部及び分岐経路１６０の湾曲した外側のガイド面の一部を構成する第１経路形成部１７１と、分岐経路１６０の湾曲した内側のガイド面の一部を構成する第２経路形成部１７２とが、可動ユニット１７０に設けられた軸１７３を中心に回動可能に取り付けられている。すなわち、可動ユニット１７０を引き出した状態において、各経路形成部１７１、１７２が軸１７３を中心として図２における時計回り方向に回動することにより、分岐経路１６０及び第１の排出経路１５１の内部が露出される（図４及び図５参照）。
【００４３】
案内機構１８０は、第１案内部１８１と第２案内部１８２とを有している。各案内部１８１、１８２は、共通排出経路１５４の下流端から第１〜第３の各排出経路１５１、１５２、１５３に分岐する分岐位置１９０に設けられ、記録部１１０からの用紙Ｐの搬送方向となる左右方向Ｘにおいて、第１案内部１８１が上流側となる右側、第２案内部１８２が下流側となる左側に位置するように、ずれて配置されている。また、鉛直方向Ｚにおいても、第１案内部１８１が下側、第２案内部１８２が上側に位置するように、ずれて配置されている。
【００４４】
また、各案内部１８１、１８２は、搬送方向となる左右方向Ｘにおいて下流側となる左側の部分である基端部に設けられる軸（図示略）を中心に回動可能である。各案内部１８１、１８２は、それぞれの軸を中心に回動することで、搬送方向となる左右方向Ｘにおいて上流側となる右側の部分であって、基端部とは反対側となる先端部の位置が鉛直方向Ｚにおいて上下に変位する。すなわち、各案内部１８１、１８２は、用紙Ｐの搬送方向において上流側に位置するそれぞれの先端部が第１経路形成部１７１に接近する上位置と、第１経路形成部１７１から離間する下位置の２位置間で回動自在に設けられている。ちなみに、第１案内部１８１の先端部は、第２案内部１８２の先端部よりも、用紙Ｐの搬送方向において上流側に位置する。
【００４５】
各案内部１８１、１８２は、それぞれ上位置又は下位置に選択的に切り替えられ、共通排出経路１５４を搬送される用紙Ｐに対して接触することで、用紙Ｐを第１〜第３の各排出経路１５１、１５２、１５３の何れかへ案内する。ちなみに、各案内部１８１、１８２は、互いの回動動作を阻害しないように、例えば基端部から先端部にかけて櫛歯状に形成されることで、互いに干渉しないように構成されている。なお、各案内部１８１、１８２におけるこの回動動作は、プリンター１００が備える制御部３００により制御される。
【００４６】
第１案内部１８１の先端部及び第２案内部１８２の先端部の両方が下位置に位置するとき、第１案内部１８１の先端部は、第３の排出経路１５３の上流端を塞ぐように位置し、第２案内部１８２の先端部は、第２の排出経路１５２の上流端を塞ぐように位置する。このため、案内機構１８０は、共通排出経路１５４を搬送される用紙Ｐを第１の排出経路１５１へ案内する。
【００４７】
第１案内部１８１の先端部が下位置で、第２案内部１８２の先端部が上位置に位置するとき、第１案内部１８１の先端部は、第３の排出経路１５３の上流端を塞ぐように位置し、第２案内部１８２の先端部は、第１の排出経路１５１の上流端を塞ぐように位置する。このため、案内機構１８０は、共通排出経路１５４を搬送される用紙Ｐを第２の排出経路１５２へ案内する。
【００４８】
第１案内部１８１の先端部及び第２案内部１８２の先端部の両方が上位置に位置するとき、第１案内部１８１の先端部は、第１の排出経路１５１の上流端及び第２の排出経路１５２の上流端を塞ぐように位置し、第２案内部１８２の先端部は、第１の排出経路１５１の上流端を塞ぐように位置する。このため、案内機構１８０は、共通排出経路１５４を搬送される用紙Ｐを第３の排出経路１５３へ案内する。
【００４９】
次に、プリンター１００における用紙Ｐの搬送不良を解消する際の作業方法について説明する。
図２に示すプリンター１００のように、用紙Ｐのようなシート状の媒体に記録を行い、それを搬送する記録装置においては、用紙Ｐが経路に沿って搬送される途中で紙詰まりなどの搬送不良を生じてしまうことがある。特に、インクなどの液体を媒体に吐出することで記録を行う記録装置においては、用紙Ｐの記録面が膨張し、記録面を凸形状とするカールが発生し易くなるため、記録部１１０よりも下流側にて搬送不良が生じ易い。そこで、本実施形態のプリンター１００は、そうした搬送途中で紙詰まりなどした用紙Ｐを取り出しやすくするために、排出経路１５０の一部及び分岐経路１６０の一部を可動ユニット１７０の移動によって筐体１０１から引き出し可能な構成としている。
【００５０】
可動ユニット１７０は、少なくとも一部が空間部１０１ａに配置される。可動ユニット１７０は、筐体１０１に対して移動可能に筐体１０１に取り付けられる。可動ユニット１７０は、用紙Ｐの搬送方向となる左右方向Ｘに沿って移動する。可動ユニット１７０は、筐体１０１に対する位置が用紙Ｐの搬送方向の最も上流側（左右方向Ｘの右側）の収納位置（図２参照）から、収納位置よりも下流側（左右方向Ｘの左側）の最大の引出位置（図４参照）までの間で移動可能である。可動ユニット１７０が収納位置にあるとき、空間部１０１ａに搬送経路部１２１が収納され、可動ユニット１７０の蓋部１０４側の一部である側端１７６が開口１０５ａを塞ぐ面積は比較的大きい。可動ユニット１７０が収納位置にあるとき、空間部１０１ａに形成される隙間は最も小さい。可動ユニット１７０が引出位置にあるとき、空間部１０１ａから搬送経路部１２１が引き出され、可動ユニット１７０の蓋部１０４側の側端１７６が開口１０５ａを塞ぐ面積は比較的小さい。可動ユニット１７０が最大の引出位置にあるとき、可動ユニット１７０の蓋部１０４側の側端１７６が開口１０５ａを塞ぐ面積は最も小さい、または、「０」である。可動ユニット１７０が引出位置にあるとき、空間部１０１ａに形成される隙間は可動ユニット１７０が収納位置にあるときより大きく、可動ユニット１７０が最大の引出位置にあるとき、空間部１０１ａに形成される隙間は最も大きくなる。以下では、左右方向Ｘにおいて可動ユニット１７０の開口１０５ａを塞ぐ面積が小さくなる移動方向を引出方向ＸＡとし、可動ユニット１７０の開口１０５ａを塞ぐ面積が大きくなる移動方向を収納方向ＸＢとする。可動ユニット１７０は、引出方向ＸＡに移動するとき、収納位置側から引出位置側に移動する。可動ユニット１７０は、収納方向ＸＢに移動するとき、引出位置側から収納位置側に移動する。
【００５１】
図４に示すように、排出経路１５０及び分岐経路１６０にて用紙Ｐの紙詰まりが生じた際には、ユーザーが引出面部１０８に形成された手掛部１０８ａに手を掛けて、用紙Ｐの搬送方向となる左右方向Ｘにおいて左方向である引出方向ＸＡに沿って引出面部１０８を引き出す。引出面部１０８が引出方向ＸＡに沿って引き出されると、引出面部１０８とともに可動ユニット１７０が筐体１０１から引き出される。すなわち、搬送経路部１２１が引き出される。さらに、共通排出経路１５４の下流端である分岐位置１９０に設けられた案内機構１８０も筐体１０１外へ引き出される。
【００５２】
図５に示すように、可動ユニット１７０を筐体１０１から引き出した後、可動ユニット１７０に取り付けられた第１経路形成部１７１及び第２経路形成部１７２を、軸１７３を中心に時計回り方向に回動させる。そうすると、第１の排出経路１５１を構成する湾曲反転経路１５１ａの内側のガイド面が外側のガイド面から離間し、また分岐経路１６０の外側のガイド面と内側のガイド面とが離間する。湾曲反転経路１５１ａ及び分岐経路１６０の外側のガイド面と内側のガイド面とがそれぞれ離間することで、経路内が開放され、経路内で紙詰まりを起こした用紙Ｐを取り出し可能な状態となる。
【００５３】
また、可動ユニット１７０を引き出す際に、可動ユニット１７０にではなく筐体１０１の空間部１０１ａに用紙Ｐが残る場合がある。この場合には、蓋部１０４（図３参照）を開位置に開くことにより、開口１０５ａを露出させ、開口１０５ａを介して用紙Ｐを引き抜き、搬送不良を解消する。可動ユニット１７０と蓋部１０４との間には、蓋部１０４の位置に応じて可動ユニット１７０の移動を規制する規制部２００が設けられる。
【００５４】
次に、図３及び図６〜図１４を参照して、規制部２００について説明する。
図３に示すように、規制部２００は、可動ユニット１７０の蓋部１０４側の側端１７６に設けられる複数の第１の係止部１７７、第２の係止部２０１、回転軸２０４（図７参照）、および、付勢部材２０５（図９参照）を備える。複数の第１の係止部１７７は、可動ユニット１７０のうちの第１の側壁１０６と対向する側端１７６に形成されている。この点で、第１の係止部１７７は、「可動ユニットのうちの蓋部側の一部に設けられる第１の係止部」に相当する。複数の第１の係止部１７７は、可動ユニット１７０の移動方向である左右方向Ｘに並んでいる。図９に示すように第１の係止部１７７は、凹部として構成されており、引出方向ＸＡ側の第１の面１７８と収納方向ＸＢ側の第２の面１７９とを有する。第１の面１７８は、可動ユニット１７０の移動方向（左右方向Ｘ）に対して実質的に直交する。第２の面１７９は、引出方向ＸＡ側から収納方向ＸＢ側に向かうにつれて可動ユニット１７０の外側に向かうように傾斜する。
【００５５】
第２の係止部２０１は、蓋部１０４に接触可能な第１の端部２０２及び第１の係止部１７７に係合可能な第２の端部２０３を含む。図３及び図９に示すように第１の端部２０２は、第２の側壁１０７から露出可能に設けられている。図６及び図９に示すように、第２の端部２０３は、第１の側壁１０６と第２の側壁１０７との間に配置されている。第２の端部２０３は、引出位置側の第１の面２０３ａ及び収納位置側の第２の面２０３ｂを備える。
【００５６】
第１の面２０３ａは、可動ユニット１７０の移動方向（左右方向Ｘ）に対して実質的に直交する。第１の係止部１７７の第１の面１７８と、第２の端部２０３の第１の面２０３ａとは可動ユニット１７０が移動するときに面接触可能である。第１の係止部１７７の第１の面１７８と第２の端部２０３の第１の面２０３ａとが接触することによって可動ユニット１７０の収納方向ＸＢへの移動を規制する。すなわち、第１の係止部１７７の第１の面１７８と第２の端部２０３の第１の面２０３ａとは可動ユニット１７０の移動を規制可能である。第２の面２０３ｂは、引出方向ＸＡ側から収納方向ＸＢ側に向かうにつれて可動ユニット１７０から離れる側に傾斜する。第１の係止部１７７の第２の面１７９と、第２の端部２０３の第２の面２０３ｂとは可動ユニット１７０が移動するときに面接触した状態で摺動可能である。
【００５７】
図７に示す回転軸２０４は、第１の端部２０２と第２の端部２０３との中間部分を鉛直方向Ｚに貫通する。回転軸２０４は、両端部が第１の側壁１０６の蓋部１０４側に折り曲げ加工された一対の第１の立上片１０６ｂに支持される。第２の係止部２０１は、回転軸２０４まわりに回動可能に回転軸２０４に支持される。付勢部材２０５は、側壁１０５と第１の端部２０２との間に取り付けられて、第２の係止部２０１に第１の端部２０２が蓋部１０４側に向かう力を付与する。
【００５８】
第１の側壁１０６のうちの第１の端部２０２と対向する部分には、第１の側壁１０６を外側に折り曲げ加工した一対の第２の立上片１０６ｃが設けられている。一対の第２の立上片１０６ｃの間には、第１の端部２０２を挿入可能な孔１０６ｄが形成されている。図９に示すように、第１の側壁１０６の孔１０６ｄと第１の係止部１７７とは、鉛直方向Ｚにおける位置が実質的に等しい。
【００５９】
図８及び図９に示すように、第２の係止部２０１は、蓋部１０４が閉位置のときには、第１の端部２０２が蓋部１０４と接触する一方で第２の端部２０３が第１の係止部１７７から離間する。具体的には、蓋部１０４の裏面に設けられる当接部１０４ｄが第２の係止部２０１の第１の端部２０２に押し当てられる。蓋部１０４からの力が付勢部材２０５からの力を上回り、第２の係止部２０１の第１の端部２０２が第１の係止部１７７から離間する。このため、可動ユニット１７０の移動が許容される。すなわち、規制部２００は、可動ユニット１７０が引出位置にあり且つ蓋部１０４が閉位置にあるときに可動ユニット１７０が収納位置側に移動することを許容する。
【００６０】
図１０及び図１１に示すように、第２の係止部２０１は、蓋部１０４が開位置のときには、第１の端部２０２が蓋部１０４から離間する一方で第２の端部２０３が第１の係止部１７７に係合する。具体的には、蓋部１０４の裏面に設けられる当接部１０４ｄが第２の係止部２０１から離間するため、付勢部材２０５からの力によって第２の係止部２０１の第１の端部２０２が第１の係止部１７７に嵌まり込む。このため、可動ユニット１７０の移動が規制される。
【００６１】
蓋部１０４が開位置にあり且つ可動ユニット１７０に収納方向ＸＢの力が加えられたとき、図１２に示すように第２の端部２０３の第１の面２０３ａと第１の係止部１７７の第１の面１７８とが面接触する。第２の係止部２０１の第１の面２０３ａと第１の係止部１７７の第１の面１７８とは、引出方向ＸＡに対して直交するため、可動ユニット１７０の引出方向ＸＡへの移動が規制される。すなわち、規制部２００は、可動ユニット１７０が引出位置にあり且つ蓋部１０４が開位置にあるときに可動ユニット１７０が収納位置側に移動することを規制する。
【００６２】
他方、蓋部１０４が開位置にあり且つ可動ユニット１７０に引出方向ＸＡの力が加えられたとき、図１２に示すように第２の係止部２０１の第１の面２０３ａと第１の係止部１７７の第１の面１７８とが接触する。そして、さらに、可動ユニット１７０に引出方向ＸＡの力が加えられたとき、図１４に示すように第２の係止部２０１の第２の面２０３ｂが第１の係止部１７７の第２の面１７９に乗り上げるとともに第２の係止部２０１をわずかに回動させる。これによって、第２の係止部２０１の第２の面２０３ｂと第１の係止部１７７の第２の面１７９とが面接触する。第１の係止部１７７の第２の面１７９は、第２の係止部２０１の第２の面２０３ｂに摺動しながら引出方向ＸＡに移動する。そして、可動ユニット１７０がさらに引出方向ＸＡに移動したとき、第２の係止部２０１は、収納方向ＸＢ側の別の第１の係止部１７７に嵌まり込む。すなわち、第２の係止部２０１は、蓋部１０４が開位置にあり且つ可動ユニット１７０が開口１０５ａを塞ぐ面積が少なくなる引出方向ＸＡに移動するとき、第２の端部２０３が第２の面２０３ｂに沿って移動可能である。このように規制部２００は、蓋部１０４が開位置にあるとき、可動ユニット１７０の収納方向ＸＢへの移動を規制し、引出方向ＸＡの移動を許容する。
【００６３】
次に、プリンター１００の作用について説明する。
プリンター１００は、可動ユニット１７０を収納位置から引出位置に引き出すことによって可動ユニット１７０の搬送経路１２０内の用紙Ｐを除去することができる。また、空間部１０１ａに用紙Ｐが脱落している等の不適切な状態になっている場合、蓋部１０４を開くことによって開口１０５ａを通じて空間部１０１ａ内の用紙を除去することができる。他方、空間部１０１ａ内に用紙Ｐを残したままで可動ユニット１７０を引出位置から収納位置に戻すと、用紙Ｐが潰れたり破れたりするおそれがある。
【００６４】
プリンター１００は、規制部２００によって蓋部１０４が開位置にあるときには可動ユニット１７０の収納方向ＸＢへの移動を規制する。このため、蓋部１０４が開位置にある限り、可動ユニット１７０の移動によって用紙Ｐが潰れたり破れたりすることが抑制される。そして、ユーザーは、可動ユニット１７０を収納位置に移動させる前に蓋部１０４を閉じる作業を行うため、この作業の際に空間部１０１ａ内に用紙Ｐが不適切な状態になっているか否かを視認する機会が得られる。このため、空間部１０１ａ内の不適切な用紙Ｐが除去されずに可動ユニット１７０が収納位置に戻されることを抑制できる。また、開口１０５ａを通じて不適切な用紙Ｐを除去する作業がユーザーによって行われているとき、作業が完了して蓋部１０４を閉位置にするまで可動ユニット１７０が収納位置に移動しない。このため、不適切な用紙Ｐを除去する作業を完了せずに可動ユニット１７０を収納位置に移動させることを抑制できる。
【００６５】
上記実施形態によれば、以下のような効果を得ることができる。
（１）プリンター１００は、可動ユニット１７０が引出位置にあり且つ蓋部１０４が開位置にあるときには、規制部２００によって可動ユニット１７０が収納位置側に移動することが規制される。このため、不適切な用紙Ｐを除去せずに可動ユニット１７０を引出位置に戻すことが抑制され、用紙Ｐの除去が困難になることを抑制できる。
【００６６】
（２）プリンター１００の規制部２００は、第２の係止部２０１のうちの第１の端部２０２が蓋部１０４から離間することによって第２の端部２０３が第１の係止部１７７と係合して可動ユニット１７０の移動を規制する。このため、駆動源及びセンサー等を用いずに簡便な構成で可動ユニット１７０の引出位置から収納位置への移動を規制することができる。
【００６７】
（３）可動ユニット１７０が開口１０５ａを塞ぐ面積が少なくなる引出方向ＸＡに移動するときは、可動ユニット１７０が収納位置側に移動するときと比較して空間部１０１ａ内の不適切な状態の用紙Ｐが潰れたり破れたりし難い。そのため、可動ユニット１７０については開口１０５ａを塞ぐ面積が少なくなる引出方向ＸＡに移動することを許容してもよい。この点、プリンター１００は、可動ユニット１７０が引出方向ＸＡに移動するのであれば、蓋部１０４が開位置にあるときにもその移動が許容される。このため、可動ユニット１７０を移動させるにあたり、その移動方向が開口１０５ａを塞ぐ面積が少なくなる収納方向ＸＢであるときは、蓋部１０４が開位置にあっても可動ユニット１７０の移動が許容されるので、そのような開位置にある蓋部１０４を閉位置に移動する手間が省ける。このため、ユーザーの作業効率が低下することを抑制できる。
【００６８】
（４）第１の係止部１７７の第２の面１７９と、第２の端部２０３の第２の面２０３ｂとは可動ユニット１７０の移動時において摺動触可能であるため、可動ユニット１７０が引出方向ＸＡに移動するときに第１の係止部１７７と第２の端部２０３とが引っ掛かり難くなり、可動ユニット１７０を滑らかに移動させることができる。
【００６９】
（５）プリンター１００の可動ユニット１７０は、引出位置にあるとき搬送経路部１２１を開放可能に構成されているため、可動ユニット１７０を引出位置に移動させることによって可動ユニット１７０に含まれる搬送経路部１２１内の用紙Ｐの詰まりを除去することができる。
【００７０】
（６）第１の側壁１０６の孔１０６ｄの周囲には第２の立上片１０６ｃが設けられている。このため、第２の係止部２０１が鉛直方向Ｚにずれて移動することが第２の立上片１０６ｃによって抑制される。
【００７１】
なお、上記実施形態は、以下のような別の実施形態に変更してもよい。
・上記実施形態において、図１５に示すようにプリンター１００に蓋部１０４の位置を検出する位置センサー３１０及び規制部２００を駆動するモーター３１１を設けることもできる。位置センサー３１０は、例えば蓋部１０４の先端部１０４ｂの位置を検出する光学センサー、または、基端部１０４ａの側壁１０５に対する回転角度を検出するロータリーエンコーダ等が用いられる。モーター３１１は、例えば第２の係止部２０１の回転軸２０４に接続されて回転軸２０４の回転を制御する。制御部３００は、位置センサー３１０の出力に基づいて可動ユニット１７０が引出位置にあり且つ蓋部１０４が開位置にあるときに可動ユニット１７０が収納位置に移動することを規制部２００が規制するようにモーター３１１を駆動する。この変形例においては、制御部３００が適切なタイミングで規制部２００を動作させることができる。
【００７２】
・上記実施形態において、蓋部１０４が開位置にあるときの可動ユニット１７０の引出方向ＸＡへの移動を規制することもできる。例えば、第１の係止部１７７の第２の面１７９及び第２の係止部２０１の第２の面２０３ｂを左右方向Ｘに対して直交する方向に延びるようにすることによって蓋部１０４が開位置にあるときの可動ユニット１７０の引出方向ＸＡへの移動を規制する。
【００７３】
・上記実施形態において、第１の係止部１７７の第２の面１７９及び第２の係止部２０１の第２の面２０３ｂの形状をそれぞれ異なるものにすることもできる。例えば、第２の係止部２０１の第２の端部２０３を先端が先細りするテーパ形状にすることもできる。この場合、第１の係止部１７７の第２の面１７９及び第２の係止部２０１の第２の端部２０３は、点接触する。
【００７４】
・上記実施形態において、第１の係止部１７７を凸部とし、第２の係止部２０１の第２の端部２０３に凹部を設けることもできる。要するに、第１の係止部１７７と第２の係止部２０１とが係合可能であれば、第１の係止部１７７及び第２の係止部２０１の構成は適宜変更することができる。
【００７５】
・上記実施形態において可動ユニット１７０に搬送経路１２０の一部に代えてまたは加えて廃液タンクまたは給紙カセットを設けることもできる。可動ユニット１７０は、廃液タンクのメンテナンスまたは給紙カセットへの用紙Ｐの供給時に引き出される。この場合であっても、規制部２００によって空間部１０１ａ内の不適切な用紙Ｐが除去されずに可動ユニット１７０が収納位置に戻されることを抑制できる。
【００７６】
・上記実施形態において、記録部１１０が用紙Ｐに記録を行う際は、ベルト搬送部１３２が有するベルト１３５の外周面を支持面として用紙Ｐを支持する構成に限らず、例えば支持台を設け、その支持台の鉛直方向Ｚ上側となる面を支持面として用紙Ｐを支持する構成であってもよい。
【００７７】
・上記実施形態において、用紙Ｐを搬送経路１２０に沿って搬送する搬送部１３０は、搬送ローラー対１３１に限らず、例えば、コンベヤで構成されていてもよい。
・上記実施形態において、記録部１１０が有する記録ヘッド１１１は、ラインヘッド型に限らず、用紙Ｐの搬送方向と交差する幅方向に沿って移動可能なシリアルヘッド型であってもよい。
【００７８】
・上記実施形態において、媒体搬送装置は、インク以外の他の流体（液体や、機能材料の粒子が液体に分散又は混合されてなる液状体、ゲルのような流状体を）噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００７９】
１００…プリンター（媒体搬送装置）、１０１…筐体、１０１ａ…空間部、１０４…蓋部、１０４ｂ…先端部、１０４ｃ…手掛部、１０４ｄ…当接部、１０５…側壁、１０５ａ…開口、１０６…第１の側壁、１０６ｄ…孔、１２０…搬送経路、１２１…搬送経路部、１０７…第２の側壁、１７０…可動ユニット、１７６…側端、１７７…第１の係止部、１７８…第１の面、１７９…第２の面、２００…規制部、２０１…第２の係止部、２０２…第１の端部、２０３…第２の端部、２０３ａ…第１の面、２０３ｂ…第２の面、２０４…回転軸、３００…制御部、３１０…位置センサー、３１１…モーター、Ｐ…用紙（媒体）。
【図１】
0006705241.tif 000002
【図２】
0006705241.tif 000003
【図３】
0006705241.tif 000004
【図４】
0006705241.tif 000005
【図５】
0006705241.tif 000006
【図６】
0006705241.tif 000007
【図７】
0006705241.tif 000008
【図８】
0006705241.tif 000009
【図９】
0006705241.tif 000010
【図１０】
0006705241.tif 000011
【図１１】
0006705241.tif 000012
【図１２】
0006705241.tif 000013
【図１３】
0006705241.tif 000014
【図１４】
0006705241.tif 000015
【図１５】
0006705241.tif 000016